(57)【要約】【課題】導入作業が軽く済む流量制御装置を提供する。【解決手段】流量制御装置２は、防水性を有する筐体１０と、筐体１０に収容され流体が通る流路を形成する管２０と、流路における流体の流量を制御する流量調節機構と、を備える。流量調節機構は、流路の開閉を行う弁４０と、流路を流れる流体の流量を検知する流量センサ３０と、流量センサ３０のセンシング信号に基づき、流体の流量が一定となるように弁４０の開閉操作を行うコントローラ５０と、を有する。  管２０の一端部は筐体１０に設けられた入口へ挿入され、管２０の他端部は筐体１０に設けられた出口へ挿入される。【選択図】図２
0003176353.tif 000002
【実用新案登録請求の範囲】
【請求項１】
防水性を有する筐体と、
前記筐体に収容され流体が通る流路を形成する管と、
前記流路における前記流体の流量を制御する流量調節機構と、を備え、
前記流量調節機構は、
前記流路の開閉を行う弁と、
前記流路を流れる前記流体の流量を検知する流量センサと、
前記流量センサのセンシング信号に基づき、前記流体の流量が一定となるように前記弁の開閉操作を行うコントローラと、を有し、
前記管の一端部は前記筐体に設けられた入口へ挿入され、
前記管の他端部は前記筐体に設けられた出口へ挿入されることを特徴とする流量制御装置。
【請求項２】
前記流量調節機構は、
前記弁の開操作又は前記弁の閉操作を受け付ける操作部を有し、
前記コントローラは、前記操作部からの操作信号に基づいて前記弁の開閉操作を行うことを特徴とする請求項１記載の流量制御装置。
【請求項３】
前記流量センサのセンシング信号に基づいて前記流体の流量を表示する流量表示部を備え、
前記流量表示部は外部から視認できるように前記筐体に設けられることを特徴とする請求項１記載の流量制御装置。
【請求項４】
前記流量表示部は、前記筐体の外側に位置することを特徴とする請求項３記載の流量制御装置。
【考案の詳細な説明】
【技術分野】
【０００１】
本考案は、流量制御装置に関する。
【背景技術】
【０００２】
配管を流れる流体の流量を調節する流量制御装置が知られている（例えば、特許文献１参照）。このような流量制御装置は、配管に設けられた開閉弁と、配管に設けられた流量センサと、流量センサからのセンシング信号に基づいて開閉弁の開閉操作を行うコントローラとを有する。
【先行技術文献】
【特許文献】
【０００３】
【特許文献１】特開２０１１−０５８７４４号公報
【考案の概要】
【考案が解決しようとする課題】
【０００４】
しかしながら、流量制御装置を構成する開閉弁や流量センサとしては、設備仕様に応じたものが選定され、コントローラとしては、開閉弁や流量センサを制御可能なものが選定される。このような流量制御装置を現場に設置する際、選定された開閉弁や流量センサを設置する作業、開閉弁や流量センサをコントローラへ接続する作業や、開閉弁の開度を調節する作業が発生する。このように、流量制御装置を導入する場合は、多大な手間を要する。
【０００５】
本考案は、斯かる実情に鑑み、導入作業が軽く済む流量制御装置を提供しようとするものである。
【課題を解決するための手段】
【０００６】
上記課題を解決する流量制御装置は、防水性を有する筐体と、前記筐体に収容され流体が通る流路を形成する管と、前記流路における前記流体の流量を制御する流量調節機構と、を備え、前記流量調節機構は、前記流路の開閉を行う弁と、前記流路を流れる前記流体の流量を検知する流量センサと、前記流量センサのセンシング信号に基づき、前記流体の流量が一定となるように前記弁の開閉操作を行うコントローラと、を有し、前記管の一端部は前記筐体に設けられた入口へ挿入され、前記管の他端部は前記筐体に設けられた出口へ挿入されることを特徴とする。
【０００７】
前記流量調節機構は、前記弁の開操作又は前記弁の閉操作を受け付ける操作部を有し、前記コントローラは、前記操作部からの操作信号に基づいて前記弁の開閉操作を行うことが好ましい。
【０００８】
前記流量センサのセンシング信号に基づいて前記流体の流量を表示する流量表示部を備え、前記流量表示部は外部から視認できるように前記筐体に設けられることが好ましい。また、前記流量表示部は、前記筐体の外側に位置することが好ましい。
【考案の効果】
【０００９】
本考案の流量制御装置によれば、導入作業が軽く済む。
【図面の簡単な説明】
【００１０】
【図１】流量制御装置の概要を示す正面図である。
【図２】蓋が開いた状態の流量制御装置の概要を示す正面図である。
【図３】流量制御装置の概要を示すブロック図である。
【考案を実施するための形態】
【００１１】
以下、添付図面を参照して、本考案の実施の形態を説明する。
【００１２】
流量制御装置２は、図１〜２に示すように、一次配管３と二次配管４との間に配され、水や油等の液体や気体といった流体を所定の流量で一次配管３から二次配管４へ流すものであり、筐体１０と、流体が通る流路を形成する配管２０と、流路における流体の流量を検知する流量センサ３０と、流路を開閉可能な電磁弁４０と、各部を制御するコントローラ５０と、所定の操作を受け付ける操作部６０と、所定の情報を出力する表示パネル７０と、を有する。
【００１３】
筐体１０は、防水性を有し各部２０〜５０を収容するものであり、開口を正面に有する収容箱１１と、収容箱１１の開口を塞ぐための蓋１２と、蓋１２を収容箱１１に取り付けるヒンジ１３とを備える。蓋１２は、ヒンジ１３により、収容箱１１の開口を塞ぐ塞ぎ状態（図１参照）と、収容箱１１の開口を開放する開放状態（図２参照）との間で回動自在となる。
【００１４】
収容箱１１の一方の側面１１Ａには入口１１Ｘが形成され、収容箱１１の他方の側面１１Ｂには出口１１Ｙが形成される。配管２０は、一次配管３と接続する一端部と、二次配管４と接続する他端部と、を有する。配管２０の一端部は入口１１Ｘに挿入され、配管２０の他端部は出口１１Ｙに挿入される。このため、筐体１０の側面１１Ａには、配管２０の一端部が露出し、筐体１０の側面１１Ｂには、配管２０の他端部が露出する。
【００１５】
流量センサ３０と電磁弁４０とは、入口１１Ｘから出口１１Ｙに向かって順次配管２０に設けられる。
【００１６】
コントローラ５０は、直方体状に形成され、操作面５０Ａを正面に有する。そして、コントローラ５０は、配管２０よりも上方に設けられる。より詳しくは、コントローラ５０は、蓋１２に設けられた挿入開口に挿入され、操作面５０Ａが蓋１２の外側に位置するように蓋１２に取り付けられる。また、コントローラ５０は、各部３０、４０、６０等と接続するための端子台５０Ｂを背面に有する。
【００１７】
操作部６０は、コントローラ５０への給電を開始する電源ＯＮボタン６１と、コントローラ５０への給電を開始する電源ＯＦＦボタン６２と、目標となる流量値等を入力するための設定ボタン６３〜６４と、電磁弁４０を開状態にするための開操作ボタン６７と、電磁弁４０を閉状態にするための閉操作ボタン６８と、を有する。開操作ボタン６７と、閉操作ボタン６８とは、リレーを介して、電磁弁４０と電気的に接続する。電源ＯＮボタン６１、電源ＯＦＦボタン６２、設定ボタン６３〜６４は、操作面５０Ａに設けられ、開操作ボタン６７と、閉操作ボタン６８とは、蓋１２に設けられる。
【００１８】
表示パネル７０は、操作面５０Ａに設けられる。
【００１９】
図３に示すように、コントローラ５０は、端子台５０Ｂ（図２参照）を介して、流量センサ３０と各ボタン６１〜６８と表示パネル７０と電気的に接続する。
【００２０】
図１に戻って、流量制御装置２は、流体内のゴミや不純物を取り出すＹ型ストレーナ８１と、流体の逆流を防止するチャッキ弁８２と、電源ケーブル９０とを有する。配管２０の一端部はＹ型ストレーナ８１を介して一次配管３と接続し、配管２０の他端部はチャッキ弁８２を介して、二次配管４と接続する。電源ケーブル９０は、コントローラ５０へ電力を供給するためのものであり、収容箱１１の下面に開口するケーブル孔を通って外部のコンセント等に接続される。操作面５０Ａは防水加工されており、コントローラ５０と蓋１２の挿入開口との隙間はパッキン（図示しない）により塞がれる。同様に、配管２０と入口１１Ｘとの隙間、配管２０と出口１１Ｙとの隙間、電源ケーブル９０とケーブル孔との隙間は、パッキン（図示しない）により塞がれる。このため、流量制御装置２は、防水性を有する。さらに、流量制御装置２は、筐体１０の上に設けられた庇９８を有する。
【００２１】
次に、上記した実施の形態の作動を説明する。電源ＯＮボタン６１が押圧されると、電源ＯＮボタン６１からの操作信号はコントローラ５０へ入力される。これにより、コントローラ５０は、起動するとともに、各部へ電力を供給する。
【００２２】
次に、設定ボタン６３の操作により、コントローラ５０の内部メモリに、目標とする流量値が記憶される。その後、設定ボタン６４の操作により、流量センサ３０からのセンシング信号の読み取りを開始する。コントローラ５０は、流量センサ３０からのセンシング信号を読み取りながら、流量センサ３０が検知した流量と内部メモリに記憶された流量値とが等しいか否かを判定する。流量センサ３０が検知した流量が内部メモリに記憶された流量値よりも大きいと判定された場合には、コントローラ５０は、電磁弁４０の開度を小さくする。一方、流量センサ３０が検知した流量が内部メモリに記憶された流量値よりも小さいと判定された場合には、コントローラ５０は、電磁弁４０の開度を大きくする。そして、流量センサ３０が検知した流量が内部メモリに記憶された流量値と等しいと判定された場合には、コントローラ５０は、電磁弁４０の開度をそのままにする。これにより、一次配管３から二次配管４にかけて所定の流量の流体が流れることとなる。さらに、表示パネル７０は、コントローラ５０の制御の下、流量センサ３０が検知した流量値内部メモリに記憶された流量値等を表示する。
【００２３】
また、開操作ボタン６７が操作されると、開操作ボタン６７からの操作信号はコントローラ５０へ入力される。これにより、コントローラ５０は電磁弁４０を全開する。同様に、閉操作ボタン６８が操作されると、閉操作ボタン６８からの操作信号はコントローラ５０へ入力される。これにより、コントローラ５０は電磁弁４０を全閉する。
【００２４】
流量制御装置２の設置作業は、各部品２０〜７０を収容する筐体１０を、Ｙ型ストレーナ８１及びチャッキ弁８２を介して、一次配管３及び二次配管４に接続することで済んでしまう。このため、従来に比べ、導入時の取り付け作業が簡単になる。また、流量制御装置２の電気系統は、各部品２０〜３０は、防水性の筐体１０で収容されているため、水を流す際、水に起因する電気的故障を回避することができる。
【００２５】
操作面５０Ａが蓋１２の外側に位置するように、コントローラ５０を蓋１２に取り付けたため、蓋１２を開いたときに、コントローラ５０の背面に設けられた端子台５０Ｂの操作を行いやすい。したがって、流量制御装置２は、メンテナンス性にも優れている。さらに、操作を行うための操作部６０は、流量制御装置２の前面に集約されているため、操作性に優れている。このため、流量センサ３０の故障等、緊急時における操作を確実に行うことが可能になる。
【００２６】
加えて、流量制御装置２は、Ｙ型ストレーナ８１を有するため、衛生面を確保するとともに、機器のトラブルを回避することができる。同様に、チャッキ弁８２を有するため、衛生面を確保することができる。
【００２７】
上記実施形態では、操作面５０Ａが蓋１２の外側に位置するように、コントローラ５０を蓋１２に取り付けたが、本発明はこれに限られない。例えば、蓋１２に設けられた窓と操作面５０Ａとが正対するように、収容箱１１に収容されていてもよい。
【符号の説明】
【００２８】
２    流量制御装置
３    一次配管
４    二次配管
１０    筐体
１１    収容箱
１２    蓋
１３    ヒンジ
２０    配管
３０    流量センサ
４０    電磁弁
５０    コントローラ
６０    操作部
７０    表示パネル
８１    Ｙ型ストレーナ
８２    チャッキ弁
９０    電源ケーブル
９８    庇
【図１】
0003176353.tif 000003
【図２】
0003176353.tif 000004
【図３】
0003176353.tif 000005